(57)【要約】【課題】１枚目の記録材の前端部が収容部上面における排出方向のより下流側に着地するようにし、記録材の湾曲や排出不良を生じることを防止する。【解決手段】排紙ローラ３４における記録材の通過状態を検出する排紙センサ３２の検出信号、排紙トレイ３１上で記録材の有無を検出する収容センサ３３の検出信号、及び、画像形成装置１００の主制御部１１０から入力されるデータに基づいて、排紙ローラ３４に回転を供給する排紙モータ３５の回転速度を制御する制御部４０を設けた。制御部４０は、排紙トレイ３１に排出される１枚目の記録材がＯＨＰシートである場合に、ＯＨＰシートの後端が定着ユニット７を通過した後に、排紙モータ３５の回転速度を画像形成プロセス速度に応じたｖ１からより高速のｖ２に変更する。【選択図】図２
2005195650.tif 000002
【特許請求の範囲】
【請求項１】
電子写真方式の画像形成処理によって記録材上に画像を形成する画像形成装置に備えられ、定着部における加熱を受けた記録材を所定の収容部に排出する排出手段と、前記排出手段による記録材の排出速度を制御する制御手段と、を備え、
前記制御手段は、少なくとも１枚の記録材に対する画像形成処理によって構成された画像形成ジョブのそれぞれにおける１枚目の記録材の排出速度を２枚目以降の記録材の排出速度よりも速くする高速排出制御を行うことを特徴とする記録材排出装置。
【請求項２】
前記制御手段は、特定の種類の記録材を排出する際に、前記高速排出制御を行うことを特徴とする請求項１に記載の記録材排出装置。
【請求項３】
前記特定の種類の記録材は、ＯＨＰシートであることを特徴とする請求項２に記載の記録材排出装置。
【請求項４】
前記収容部における記録材の有無を検出する検出手段をさらに備え、前記検出手段が記録材を検出していない場合に、前記高速排出制御を行うことを特徴とする請求項１に記載の記録材排出装置。
【請求項５】
前記制御手段は、連続して実行される複数の画像形成ジョブにおける後続の画像形成ジョブについて前記高速排出制御を行わないことを特徴とする請求項１に記載の記録材排出装置。
【請求項６】
前記高速排出制御は、１枚目の記録材の後端が前記定着部を通過した後に、前記排出手段の排出速度を速くする制御であることを特徴とする請求項１に記載の記録材排出装置。
【発明の詳細な説明】
【技術分野】
【０００１】
この発明は、電子写真方式の画像形成処理によって画像が形成された記録材を収容部に排出する記録材排出装置に関する。
【背景技術】
【０００２】
電子写真方式の画像形成処理を行う画像形成装置では、転写部でトナー像の転写を受けた記録材を定着部において加熱及び加圧し、トナー像を溶融定着させる。この後、記録材は、排出手段によって排紙トレイ等の収容部に排出される。
【０００３】
このような画像形成装置では、記録材として普通紙だけでなく透明樹脂フィルムからなるオーバヘッドプロジェクタ用のシート（以下、ＯＨＰシートという。）に画像を形成する場合がある。ＯＨＰシートに対する画像形成時には、定着部において普通紙に対する画像形成時に比較して高い熱量を与える必要がある。これは、ＯＨＰシートの使用時に照明光がトナー像を透過できるようにＯＨＰシート上におけるトナー像の層厚を充分に薄くしなければならず、また、照明光が乱反射することのないようにトナー像の表面を滑らかな状態にしなければならないからである。
【０００４】
このため、従来の画像形成装置では、ＯＨＰシートに対する画像形成時に、定着部における制御温度を上昇させるようにしたり（例えば、特許文献１及び２参照。）、定着部を通過する際の搬送速度を遅くするようにしたものがある（例えば、特許文献３参照。）。
【特許文献１】特開平０２−０６６５８７号
【特許文献２】特開平０４−０６７１７２号
【特許文献３】特開平０６−２０８２６２号
【発明の開示】
【発明が解決しようとする課題】
【０００５】
しかしながら、ＯＨＰシートは熱可塑性の透明樹脂フィルムを素材としているため、定着部で加熱されると軟化して弾性力が低下する。近年、画像形成装置は省スペース化の要請により、定着部に近接して排紙手段が配置されており、定着部で加熱されたＯＨＰシートは温度が充分に低下していない状態で収容部に排出される。画像形成装置では、収容部に所定量の記録材を収容するために、収容部の上面から上方に離間した位置に記録材の排出口が設けられている。
【０００６】
このため、排出口から収容部に排出されてくるＯＨＰシートは、前端部が収容部上面における排出方向の手前側に衝突した後に排紙口から押し出され、中間部分に撓みを生じて湾曲した形状で収容部に収容される。この状態のままで収容部においてＯＨＰシートが冷却されて湾曲した形状のまま固化すると、ＯＨＰシートを適正に使用することができなくなる。
【０００７】
通常、収容部の上面は、複数枚の記録材の位置を整合させて収容できるようにするため、排出方向の手前側がより低くなるように傾斜している。収容部上面の傾斜が強いと、ＯＨＰシートの先端が収容部上面に衝突した後に排出方向に移動せず、収容部に収容されたＯＨＰシートに大きな湾曲が生じるだけでなく、ＯＨＰシートが反転したりＯＨＰシートの後端が排出口に詰まり、ＯＨＰシートを適正に排出することができなくなる。この現象は、ＯＨＰシートの先端と収容部の上面との摩擦抵抗が大きくなること、及び、画像形成終了直後のＯＨＰシートに静電気が残留していることによるものと考えられる。
【０００８】
但し、収容部上に少なくとも１枚の記録材が収容されていれば、引き続き排出されるＯＨＰシートはスムーズに収容され、ＯＨＰシートの湾曲や排出不良を生じることはない。
【０００９】
この発明は、収容部上に少なくとも１枚の記録材が収容されていればその後に排出される記録材がスムーズに収容部に収容されることに着目してなされたものであり、１枚目の記録材の前端部が収容部上面における排出方向のより下流側に着地するようにし、記録材の湾曲や排出不良を生じることを防止できる記録材排出装置を提供することにある。
【課題を解決するための手段】
【００１０】
この発明は、上記の課題を解決するための手段として、以下の構成を備えたものである。
【００１１】
（１）電子写真方式の画像形成処理によって記録材上に画像を形成する画像形成装置に備えられ、定着部における加熱を受けた記録材を所定の収容部に排出する排出手段と、前記排出手段による記録材の排出速度を制御する制御手段と、を備え、
前記制御手段は、少なくとも１枚の記録材に対する画像形成処理によって構成された画像形成ジョブのそれぞれにおける１枚目の記録材の排出速度を２枚目以降の記録材の排出速度よりも速くする高速排出制御を行うことを特徴とする。
【００１２】
この構成においては、１枚目の記録材が２枚目以降の記録材よりも速い排出速度で収容部に排出される。したがって、１枚目の記録材の前端部は、２枚目以降の記録材の前端部よりも収容部の上面における排出方向の前方に着地する。
【００１３】
（２）前記制御手段は、特定の種類の記録材を排出する際に、前記高速排出制御を行うことを特徴とする。
【００１４】
この構成においては、特定の種類の記録材に対する画像形成処理時に、１枚目の記録材が２枚目以降の記録材よりも速い排出速度で収容部に排出される。したがって、収容部に排出される１枚目の記録材が特定の種類の記録材である場合にのみ、その記録材の前端部が２枚目以降の記録材の前端部よりも収容部の上面における排出方向の前方に着地する。
【００１５】
（３）前記特定の種類の記録材は、ＯＨＰシートであることを特徴とする。
【００１６】
この構成においては、ＯＨＰシートに対する画像形成処理時に、１枚目のＯＨＰシートが２枚目以降の記録材よりも速い排出速度で収容部に排出される。したがって、収容部に排出される１枚目の記録材がＯＨＰシートである場合にのみ、ＯＨＰシートの前端部が２枚目以降の記録材の前端部よりも収容部の上面における排出方向の前方に着地する。
【００１７】
（４）前記収容部における記録材の有無を検出する検出手段をさらに備え、前記検出手段が記録材を検出していない場合に、前記高速排出制御を行うことを特徴とする。
【００１８】
この構成においては、検出手段が収容部において記録材を検出していない場合に、１枚目の記録材が２枚目以降の記録材よりも速い排出速度で収容部に排出される。したがって、前端部が収容部の上面に直接接触する１枚目の記録材のみが２枚目以降の記録材の前端部よりも収容部の上面における排出方向の前方に着地する。
【００１９】
（５）前記制御手段は、連続して実行される複数の画像形成ジョブにおける後続の画像形成ジョブについて前記高速排出制御を行わないことを特徴とする。
【００２０】
この構成においては、それぞれが少なくとも１枚の記録材に対する画像形成処理からなる複数の画像形成ジョブが連続して行われる場合には、最初の画像形成ジョブ以外の画像形成ジョブにおける１枚目の記録材は２枚目以降の記録材と同じ排出速度で排出される。したがって、少なくとも１枚の記録材が既に収容部に収容されている状態では、記録材が高速で排出されることがない。
【００２１】
（６）前記高速排出制御は、１枚目の記録材の後端が前記定着部を通過した後に、前記排出手段の排出速度を速くする制御であることを特徴とする。
【００２２】
この構成においては、１枚目の記録材の後端が定着部を通過するまでは記録材の排出速度が速くされることがない。したがって、定着部で与えられる熱量が１枚目の記録材において途中で変化することがない。
【発明の効果】
【００２３】
この発明によれば、以下の効果を奏することができる。
【００２４】
（１）１枚目の記録材の前端部を、２枚目以降の記録材の前端部よりも収容部の上面における排出方向の前方に着地させることができ、収容部の上面に衝突した１枚目の記録材の前端部を収容部の上面に沿って排出方向に円滑に移動させることができる。これによって、記録材に充分な弾力性がない場合でも、記録材の湾曲や排出不良を生じることを防止でき、収容部に記録材を適正に収容することができる。
【００２５】
（２）収容部に排出される１枚目の記録材が湾曲や排出不良を生じ易い特定の種類の記録材である場合にのみ高速で排出し、普通紙等の収容部における湾曲や排出不良を生じ難い通常の記録材について高速で排出しないようにすることができる。これによって、特定の種類の記録材の湾曲や排出不良を生じることを防止して記録材を収容部に適正に収容することができるとともに、通常の記録材が排出方向に収容部を超えて排出されることによる収容部での収容不良を防止できる。
【００２６】
（３）収容部に排出される１枚目の記録材が湾曲や排出不良を生じ易いＯＨＰシートである場合にのみ高速で排出し、普通紙等の収容部における湾曲や排出不良を生じ難い通常の記録材について高速で排出しないようにすることができる。これによって、ＯＨＰシートの湾曲や排出不良を生じることを防止してＯＨＰシートを収容部に適正に収容することができるとともに、通常の記録材が排出方向に収容部を超えて排出されることによる収容部での収容不良を防止できる。
【００２７】
（４）前端部が収容部の上面に直接接触する１枚目の記録材のみを２枚目以降の記録材の前端部よりも収容部の上面における排出方向の前方に着地させることができ、少なくとも１枚の記録材が既に収容部に収容されており、記録材の湾曲や排出不良を生じ難い状態では記録材を高速で排出しないようにすることができる。これによって、記録材が排出方向に収容部を超えて排出されることによる収容部での収容不良を防止できる。
【００２８】
（５）少なくとも１枚の記録材が既に収容部に収容されている状態では、記録材を高速で排出しないようにすることができる。これによって、記録材が排出方向に収容部を超えて排出されることによる収容部での収容不良を防止できる。
【００２９】
（６）定着部で与えられる熱量が１枚目の記録材において途中で変化することを防止しき、１枚の記録材における画像形成状態を一定に維持することができ、画像品質の低下を防止することができる。
【発明を実施するための最良の形態】
【００３０】
図１は、この発明の実施形態に係る記録材排出装置を備えた画像形成装置の構成を示す図である。画像形成装置１００は、外部から入力された画像データに基づいて用紙等の記録材に対し、帯電、露光、現像、転写及びクリーニングの各工程からなる電子写真方式の画像形成処理を行う。このため、画像形成装置１００は、表面に光導電作用を生じる感光層を形成した感光体ドラム１の周囲に、帯電器２、露光ユニット３、現像ユニット４、転写器５及びクリーナ６を感光体ドラム１の回転方向に沿ってこの順に配置した画像形成部１０を備えている。
【００３１】
帯電器２は、感光体ドラム１の表面にトナーの帯電極性と同極性の電荷を均一に付与する。露光ユニット３は、画像データによって変調された画像光によって感光体ドラム１の表面を露光し、露光部分の電荷を除去して感光体ドラム１の表面に静電潜像を形成する。現像ユニット４は、感光体ドラム１の表面にトナーを供給して静電潜像をトナー像に顕像化する。転写器５は、感光体ドラム１との間に挟持した記録材にトナーの帯電極性と逆極性の電圧を印加してトナー像を記録材の表面に転写する。クリーナ６は、転写工程を終了した感光体ドラム１の表面に残留しているトナー等を除去する。
【００３２】
画像形成装置１００は、給紙装置２００上に載置されている。給紙装置２００には、給紙トレイ２０１〜２０４が備えられている。給紙トレイ２０１〜２０４のそれぞれには、給紙ローラ２１１〜２１４が配置されている。各給紙トレイ２０１〜２０４から画像形成装置１００内の画像形成部１０を経由して、排出口３０ａに至る間に主搬送路２０が形成されている。給紙トレイ２０１〜２０４の何れかに収納されている記録材が、給紙ローラ２１１〜２１４の何れかを介して主搬送路２０内に給紙された後、画像形成部１０の感光体ドラム１と転写器５との間に搬送される。
【００３３】
排出口３０ａは、排紙ローラ３４を備え、画像形成装置１００の上面に開口している。画像形成装置１０の上面には、この発明の収容部である排紙トレイ３１が設けられている。排紙トレイ３１には、記録材の有無を検出するこの発明の検出手段である収容センサ３３が備えられている。また、排出口３０ａには、記録材の通過状態を検出する排紙センサ３２が設けられている。これら排紙トレイ３１、排紙センサ３２、収容センサ３３及び排紙ローラ３４が、後述する排紙モータとともにこの発明の排出手段である排出部３０を構成している。排紙トレイ３１の上面は、記録材の排出方向の上流側を下にして傾斜している。排出された複数枚の記録材を、後端位置を基準として整合して収容するためである。
【００３４】
主搬送路２０において、画像形成部１０と排出口３０ａとの間に、この発明の定着部である定着ユニット７が配置されている。定着ユニット７は、加熱ローラ７ａ及び加圧ローラ７ｂを含み、転写工程を終了した記録材を加熱及び加圧し、トナー像を溶融して記録材の表面に定着させる。
【００３５】
図２は、上記記録材排出装置の構成を示す図である。この発明の実施形態に係る記録材排出装置４０は、排紙トレイ３１、排紙センサ３２、収容センサ３３、排紙ローラ３４及び排紙モータ３５からなる排紙部（排出手段）３０と、これら排紙部３０の動作を制御する制御部４０とからなる。
【００３６】
制御部４０は、この発明の制御手段であり、排紙センサ３２及び収容センサ３３の検出信号に基づいて、排紙ローラ３４に回転を供給する排紙モータ３５を駆動制御する。排紙モータ３５の回転速度は記録材の排出速度を規定する。また、制御部４０は、画像形成装置１００の主制御部１１０に接続されている。制御部４０には、主制御部１１０から、画像形成処理を開始する旨のデータ、画像形成処理の対象となる記録材の種類を特定するデータ、及び、記録材の後端が定着ユニット７を通過した旨のデータ等が供給される。
【００３７】
一例として、排紙センサ３２及び収容センサ３３は、発光素子と受光素子とを所定の間隙を設けて対向配置した光学センサであり、それぞれアクチュエータ３２ａ及び３３ａを揺動自在に備えている。
【００３８】
アクチュエータ３２ａは、排出口３０ａを通過する記録材が下端部に当接する間に上端部を排紙センサ３２の発光素子と受光素子との間隙に進入させ、発光素子の光を遮蔽する。排紙センサ３２は、受光素子が発光素子の光を受光するか否かに応じてオン／オフする検出信号を制御部４０に出力する。制御部４０は、この検出信号の状態によって、記録材が排出口３０ａを通過しているか否かを検出する。
【００３９】
アクチュエータ３３ａは、排紙トレイ３１上に収容された記録材が上端部に当接している間に下端部を収容センサ３３の発光素子と受光素子との間隙に進入させ、発光素子の光を遮蔽する。収容センサ３３は、受光素子が発光素子の光を受光するか否かに応じてオン／オフする検出信号を制御部４０に出力する。制御部４０は、この検出信号の状態によって、少なくとも１枚の記録材が排紙トレイ３１上に収容されているか否かを検出する。
【００４０】
図３〜８は、上記記録材排紙装置における記録材の排出状態を説明する図である。画像形成装置１００において画像形成処理を終了した記録材（普通紙）Ｐは、図３中破線で示す理想線上を通過して排紙トレイ３１に排出されることが望ましい。常温かつ常湿度の環境下で画像形成処理を終了した普通紙Ｐは、図３中実線で示すように、略理想線に沿って排出口３０ａから排紙トレイ３１上に排出される。後端が排紙ローラ３４を通過した普通紙Ｐは、図４に示す状態を経て、図５に示すように排紙トレイ３１の上面に沿った上端で、後端を排紙トレイ３１のガイド面３１ａに当接させた状態で、排紙トレイ３１に収容される。
【００４１】
これに対して、熱可塑性の透明樹脂フィルムからなるＯＨＰシートＰ′を対象とした画像形成処理では、排紙ローラ３４によって排出口３０ａから排紙トレイ３１上に排出すべきＯＨＰシートＰ′は、定着ユニット７を通過する際の加熱によって柔軟性が増し、弾性力が低下している。このため、図６に示すように、ＯＨＰシートＰ′の前端が早期に下方に落下し、理想線よりも排出方向の上流側で排紙トレイ３１の上面に衝突する。排紙トレイ３１の上面に当接したＯＨＰシートＰ′の前端は、排出方向の下流側へ円滑に移動せず、図７に示すように、中間部分に湾曲を生じ、そのまま湾曲した記録材として排紙トレイ３１上に収容される。この結果、積載して収容される複数の記録材の整合性が悪くなったり、後続の記録材の排出に影響を与え、中間部分に湾曲を生じたＯＨＰシートＰ′の後端が排出口３０ａに留まったままとなって記録材の損傷や排出口３０ａにおける紙詰まりを生じる可能性がある。さらに、排出口３０ａと排紙トレイ３１の上面との間の距離が長い場合には、排紙トレイ３１上でＯＨＰシートＰ′が反転する可能性もある。
【００４２】
一方、図８に示すように、既に排紙トレイ３１上に１枚以上の記録材（種類を問わない。）Ｐが収容されている状態で排出されたＯＨＰシートＰ′は、前端が早期に下方に落下しても、先に収容されている記録材Ｐの上面に沿って矢印に示すように排紙方向に容易に移動し、中間部分に湾曲を生じることなく、排紙トレイ３１上に適正に収納される。
【００４３】
図９は、上記制御部における処理手順の一例を示すフローチャートである。制御部４０は、一つの画像形成ジョブに係る画像形成処理の開始信号が主制御部１１０から入力されると（Ｓ１）、排紙モータ３５の駆動を開始する（Ｓ２）。このとき、排紙モータ３５は通常の回転速度ｖ１にされる。回転速度ｖ１は、画像形成装置１００の画像形成部１０における画像形成プロセス速度に応じた速度である。即ち、回転速度ｖ１は、排紙ローラ３５によって排出される記録材の排出速度を、画像形成部１０を通過する際の記録材の搬送速度に一致する速度である。
【００４４】
次いで、主制御部１１０から画像形成処理の対象がＯＨＰシートである旨のデータが入力されたか否かを判別し（Ｓ３）、ＯＨＰシートが対象である場合には収容センサ３３の検出信号に基づいて排紙トレイ３１上に記録材が収容されているか否かの判別を行う（Ｓ４）。
【００４５】
排紙トレイ３１上に記録材が収容されていない場合、制御部４０は、ＯＨＰシートの後端が定着ユニット７を通過するのを待機し（Ｓ５）、ＯＨＰシートの後端が定着ユニット７を通過すると、ＯＨＰシートの後端が排紙ローラ３４を通過するまでの間において、排紙モータ３を回転速度ｖ２（ｖ２＞ｖ１）で駆動する（Ｓ６，Ｓ７）。このｓ６及びｓ７の処理が、この発明の高速排出制御である。
【００４６】
ＯＨＰシートの後端が排紙ローラ３４を通過すると、制御部４０は、画像形成ジョブが終了するまで排紙モータ３５を回転速度ｖ１で駆動する（Ｓ８，Ｓ９）。
【００４７】
画像形成処理の対象がＯＨＰシートでない場合、又は、排紙トレイ３１上に少なくとも１枚の記録材が既に収容されている場合には、制御部４０は、回転速度ｖ１で排紙モータ３５の駆動する（Ｓ３→Ｓ８，Ｓ４→Ｓ８）。
【００４８】
以上の処理により、図１０（Ａ）に示すジョブＡ又は（Ｂ）に示すジョブＢのように、定着ユニット７における加熱によって弾性力が低下して前端が排紙トレイ３１における排出方向のより上流側に衝突するＯＨＰシートの画像形成時であって、かつ、排紙トレイ３１に記録材が収容されておらずＯＨＰシートの前端が排出方向の下流側に移動し難い状況において、ＯＨＰシートの排出速度が速くされる。
【００４９】
これによって、排紙トレイ３５の状面においてＯＨＰシートの前端が着地（衝突）する位置を排出方向の下流側に移動させることができ、ＯＨＰシートの前端が排出方向に円滑に移動でき、ＯＨＰシートに湾曲を生じたり、ＯＨＰシートの前端が排出口３０ａに留まって排出不良を生じたりすることがない。
【００５０】
また、ＯＨＰシートの後端が定着ユニット７を通過した後に排紙モータ３５の回転速度をｖ１からｖ２にするため、ＯＨＰシートが定着ユニット７を通過中に搬送速度が変化することがなく、１枚のＯＨＰシートの途中でトナーの定着状態が変化して画像品質が低下することを防止できる。
【００５１】
図１０（Ｃ）に示すようにＯＨＰシートに対する画像形成処理を含む画像形成ジョブであっても１枚目の記録材がＯＨＰシートでない場合、又は、図１０（Ｄ）に示すジョブＢのように１枚目の記録材がＯＨＰシートであっても先行するジョブＡに連続して実行される後続の画像形成ジョブについては、１枚目の記録材の排出時に排紙モータ３５の回転速度をｖ１からｖ２に変更する処理は行われない。ＯＨＰシートの排出時に既に他の記録材が排紙トレイ３１上に収容されているからである。
【００５２】
なお、排紙トレイ３１上において記録材の有無を検出する収容センサ３３は省略することができる。この場合、先行する画像形成ジョブが終了したタイミングから今回の画像形成ジョブを開始するまでの時間が所定時間を経過しているか否かに応じて、今回の画像形成ジョブにおける１枚目の記録材（ＯＨＰシート）の排出時に排紙モータ３５の回転速度をｖ１からｖ２に変更するか否かを決定する。
【図面の簡単な説明】
【００５３】
【図１】この発明の実施形態に係る記録材排出装置を備えた画像形成装置の構成を示す図である。
【図２】上記記録材排出装置の構成を示す図である。
【図３】上記記録材排紙装置における記録材の正常な排出状態を説明する図である。
【図４】上記記録材排紙装置における記録材の正常な排出状態を説明する図である。
【図５】上記記録材排紙装置における記録材の正常な収容状態を説明する図である。
【図６】上記記録材排紙装置における１枚目のＯＨＰシートの排出状態を説明する図である。
【図７】上記記録材排紙装置における１枚目のＯＨＰシートの排出状態を説明する図である。
【図８】上記記録材排紙装置における２枚目以降のＯＨＰシートの排出状態を説明する図である。
【図９】上記制御部における処理手順の一例を示すフローチャートである。
【図１０】上記画像形成装置における画像形成ジョブの構成と排紙速度の制御状態との関係を説明する図である。
【符号の説明】
【００５４】
７  定着ユニット（定着部）
１０  画像形成部
３０  排紙部（排出手段）
３１  排紙トレイ（収容部）
３２  排紙ローラ
３３  収容センサ（検出手段）
４０−制御部（制御手段）
１００  画像形成装置
【図１】
2005195650.tif 000003
【図２】
2005195650.tif 000004
【図３】
2005195650.tif 000005
【図４】
2005195650.tif 000006
【図５】
2005195650.tif 000007
【図６】
2005195650.tif 000008
【図７】
2005195650.tif 000009
【図８】
2005195650.tif 000010
【図９】
2005195650.tif 000011
【図１０】
2005195650.tif 000012